(57)【要約】【課題】宝石のクラウンが塞がれる面積をできるだけ小さくしながら、宝石を確実に台座部へ保持させるとともに、宝石のテーブル面へ宝石の輝きとは異なる色の点々等が反映されることがないファセットカット宝石の取付構造を提供すること。【解決手段】キューレット部１１ａを案内した状態で宝石１のパビリオン１１を支持する台座部２と、前記台座部２から前記宝石１のガードル部１２を経てファセット部１０ｂ側へ立ち上がる押え爪２０と、当該押え爪２０の対向側において前記台座部２から前記パビリオン１１のガードル部１２近傍まで立ち上がる支持爪２１とを一体に有し、前記押え爪２０を前記ファセット部１０ｂへかしめるとともに、前記支持爪２１を前記パビリオン１１へかしめたことを特徴としている。【選択図】      図2
2008055061.tif 000002
【特許請求の範囲】
【請求項１】
キューレット部（１１ａ）を案内した状態で宝石（１）のパビリオン（１１）を支持する台座部（２）と、当該台座部（２）から前記宝石（１）のガードル部（１２）を経てファセット部（１０ｂ）側へ立ち上がる押え爪（２０）と、当該押え爪（２０）の対向側において前記台座部（２）から前記パビリオン（１１）のガードル部（１２）近傍まで立ち上がる支持爪（２１）とを一体に有し、前記押え爪（２０）を前記ファセット部（１０ｂ）へかしめるとともに、前記支持爪（２１）を前記パビリオン（１１）へかしめたことを特徴とする、ファセットカット宝石の取付構造。
【発明の詳細な説明】
【技術分野】
【０００１】
本発明は、ファセットカットされた宝石を保持金具に取り付けるための取付構造に関するものである。
金具に取り付けられた宝石は、ペンダント、ブローチ、イヤリング、ピアス等に使用されるほか、例えばチェーンを取り付けてネックレスとして使用される。
【背景技術】
【０００２】
ファセットカットされた宝石の保持金具は、キューレット部を案内した状態で宝石のパビリオンを支持する台座部（銀、プラチナ、金等の貴金属）と、この台座部へ等角度間隔で分散するように一体に形成され宝石のガードル部を経て立ち上がる四〜六個の押え爪とから構成され、宝石は前記各押え爪を宝石のファセット部へかしめることにより台座部へ押し付けられた状態で取り付けられる（後記特許文献１の第５図〜第８図参照）。
【０００３】
しかし、押え爪が多いとそれらの押え爪によって宝石正面（クラウン）の塞がれる領域が拡大するので、種々の工夫がなされている。
その第１は、ファセットカットされた宝石のキューレット部（宝石の下半分であるパビリオンの頂点部）近傍のパビリオンに当接する内面をもつ孔を形成した台座部と、前記台座部から前記宝石のパビリオン及びガードル部を経てファセット部の一箇所に立ち上がる押え爪とを一体に備え、前記押え爪を前記台座部の方向へ向けて前記ファセット部へかしめた取付構造である（後記特許文献１の図１〜図４）。
【０００４】
第１の取付構造によれば、押え爪がファセット部の一箇所を前記台座部へ押え付けるので、クラウンの塞がれる領域は小さいが、宝石が台座部から脱落し易かった。
他方宝石の脱落を防止できる程度に強固に宝石を台座部へ固定するためには、前記押え爪をかしめ工具を用いて宝石のファセット部へ打ち付ける際、過大な打撃力を加える必要があるので、その過大な打撃により前記台座部の孔の周縁部とパビリオンとが擦れ合って台座部へ微細な傷が生じ、光線の状態によってこの傷が小さな点々（ないし影）となってテーブル側に反映されることがあった（特許文献３に関して後記図６に記載）。
テーブル面へ反映される前記点々等は、例えば台座部の材質が銀やプラチナである場合は黒く表れるが、いずれにしてもこれらは宝石の輝きとは異なる色であるので、外観を損なうばかりでなく宝石の不純物（例えばカーボン）と誤認されることがあり、当該製品に鑑定どおりの宝石が使用されていないと見られるおそれがあった。
【０００５】
その第２は、ファセットカットされた宝石のキューレット部を内包する状態でパビリオンを支持するリング状の台座部と、当該台座部からガードル部を経て立ち上がる状態に連結片（チェーンを連結する。）を兼ねた一つの堅固な押え爪を形成し、この押え爪をかしめ工具により台座部側へ曲げ、台座部と押え爪とで宝石を挟んだ取付構造である（後記特許文献２）。
【０００６】
前記第２の取付構造によれば、単一の押え爪によって宝石を押え付けるので、押え爪が宝石のクラウンにおけるテーブルの一部に被さることが必須の要件になっているが、テーブル１の一部が塞がれ、それだけ宝石の最も輝く部分であるテーブル面が目立ち難くなる難点があった。
また、単一の押え爪によるかしめのみによって宝石を台座部へ押えるので、宝石を前記台座部へ強固に取り付けるためには過大な打撃力を要し、前記第１の取付構造と同様に台座部の微細な傷によりテーブル面へ点々等が反映されるおそれがあった。
【０００７】
その第３は、図５及び図６で示すように、ファセットカットされた宝石１のキューレット部１１ａが内包される孔３ａを有し、宝石１のパビリオン１１を支持する台座部３と、台座部３の一箇所からガードル部を経て立ち上がる押え爪３０と、当該押え爪３０の対向側（押え爪３０から１８０°の位置にあり、押え爪３０と対向している。）において台座部３からパビリオン１１のほぼ中間レベルまで立ち上がる固定腕３１とを一体に有し、単一の押え爪３０を宝石１のファセット部１０ｂへ矢印ａの方向にかしめることにより、固定腕３１と孔３ａとの間に固定力を発生させて宝石１を台座部３へ固定する取付構造である（後記特許文献３）。
この取付構造では、かしめ前の押え爪３０を図３の二点鎖線のように起立状態に形成しておき、これをかしめ工具でかしめることにより矢印ａ方向へ力を発生させ、キューレット部１１ａを中心として生じる矢印ｂ方向のモーメントを、孔３ａ及び固定腕３１で受けて宝石１を台座部３へ固定する。
【０００８】
前記第３の取付構造によれば、第１の取付構造と同様に、宝石１の脱落を防止できる程度に強固に宝石を台座部へ固定するためには、単一の押え爪３０をかしめ工具を用いて宝石１のファセット部１０ｂへ打ち付ける際、過大な打撃力を加える必要があるので、その過大な打撃により前記固定腕３１の先端縁部及び孔３ａの縁部へパビリオン１１との擦れ合いによる微細な傷が生じ、光線の状態によってはこの傷が小さな点々等ｃ（図６）とな
ってテーブル１０ａ側に反映されるおそれがあった。
【特許文献１】実公平６−８７３０号公報（実開昭６３−１９９６１０号公報）
【特許文献２】特許第３１８２６８３号公報（特開平９−２８４２７号公報）
【特許文献３】実用新案登録第３０１９６６７号公報
【発明の開示】
【発明が解決しようとする課題】
【０００９】
本発明の解決課題は、ファセットカット宝石のクラウンの遮蔽面積できるだけ小さくして輝きをできるだけ阻害せずに、宝石を台座部へより確実に保持させることにある。
したがってその目的は、宝石のクラウンが塞がれる面積をできるだけ小さくしながら、宝石を脱落することがないよう確実に台座部へ保持させるとともに、図６のように宝石のテーブル面へ宝石の輝きとは異なる色の点々等ｃが反映されることがないファセットカット宝石の取付構造を提供することにある。
【課題を解決するための手段】
【００１０】
本発明に係るファセットカット宝石の取付構造は、前記課題を解決するため、キューレット部１１ａを案内した状態で宝石１のパビリオン１１を支持する台座部２と、前記台座部２から前記宝石１のガードル部１２を経てファセット部１０ｂ側へ立ち上がる押え爪２０と、当該押え爪２０の対向側において前記台座部２から前記パビリオン１１のガードル部１２近傍まで立ち上がる支持爪２１とを一体に有し、前記押え爪２０を前記ファセット部１０ｂへかしめるとともに、前記支持爪２１を前記パビリオン１１へかしめたことを最も主用な特徴としている。
【発明の効果】
【００１１】
本発明に係るファセットカット宝石の取付構造によれば、宝石１のパビリオン１１を支持する台座部２と、台座部２から宝石１のガードル部１２を経てファセット部１０ｂ側へ立ち上がる押え爪２０と、当該押え爪２０の対向側において台座部２から前記パビリオン１１のガードル部１２近傍まで立ち上がる支持爪２１とを一体に有し、押え爪２０を前記ファセット部１０ｂへかしめるとともに、支持爪２１を前記パビリオン１１へかしめたので、宝石１は台座部２の押え爪２０と支持爪２１により強く挟み付けられた状態になり、宝石１は台座部２へより確実に保持される。
正面側から見える押え爪２０は一つであるから、宝石１のクラウン１０の露出面積は相対的に大きくなり、宝石の輝きが阻害される度合はより小さい。
各押え爪２０と支持爪２１は相対向しており、かつ、かしめ部は宝石１を挟んだ状態で二箇所に存在するので、前記各従来技術のように一つの押え爪をかしめて宝石を固定するのと比べると、それぞれのかしめの力は小さくて済む。したがって、支持爪２１を含む台座部２と宝石１との強い擦れによる傷は発生し難く、併せて、かしめ部である支持爪２１はパビリオン１１においてガードル部１２の近傍に位置していて、テーブル１０ａと上下方向に重なることがないことにより、宝石１のテーブル１０ａ面へ図５のような点々等ｃが反映されることはない。
【発明を実施するための最良の形態】
【００１２】
図１〜図３を参照しながら、本発明に係るファセットカット宝石の取付構造の最適実施形態を説明する。
第１実施形態
図１は第１実施形態の取付構造を示す正面図、図２は図１の取付構造の側面図である。  
【００１３】
キューレット部１１ａを案内した状態でファセットカットされた宝石１のパビリオン１１を支持する台座部２は、金，銀やプラチナその他の貴金属を材質としており、キューレット部１１ａが案内される孔２ａを有し、底面視において宝石１の直径方向に沿ってパビリオン１１を支持している。
前記台座部２は、長さ方向の一端部に宝石１のガードル部１２を経てファセット部１０ｂ側へ立ち上がる押え爪２０を一体に有するとともに、当該押え爪２０の対向側の端部において前記パビリオン１１のガードル部１２近傍まで立ち上がる支持爪２１を一体に有している。
【００１４】
前記押え爪２０を前記ファセット部１０ｂへかしめるとともに、前記支持爪２１を前記パビリオン１１へかしめる（このかしめ時の力は、押え爪２０の方向へ向かって作用する。）ことにより、宝石１は相対向する両爪２０，２１でかしめて強く挟まれた状態で保持されている。
押え爪２０と支持爪２１は、図２の状態よりも両者の間隔をやや大きくした状態に形成しておき、押え爪２０と支持爪２１との間に宝石１を挿入する要領で台座部２内へ当該宝石１をセットし、この状態で押え爪２０と支持爪２１とをかしめ工具（たがねと槌）を用いて前記の状態にかしめる。
押え爪２０と支持爪２１のかしめの順序はいずれが先でも後でもよい。
なお、２２は図１のように鎖等４を連結するための連結孔である。
【００１５】
この実施形態の取付構造によれば、前記のように、宝石１は台座部２の押え爪２０と支持爪２１により強く挟み付けられた状態になるので、宝石１は脱落しないように台座部２へより確実に保持される。
各押え爪２０と支持爪２１は相対向しており、かつ、かしめ部は宝石１を挟んだ状態で二箇所に存在するので、それぞれのかしめの力は相対的に小さくて済む。したがって、宝石１と支持爪２１を含む台座部２との強い擦れによる傷は発生し難い。
また、かしめ部である支持爪２１は、パビリオン１１においてガードル部１２の近傍に位置していてテーブル１０ａと上下方向に重なることがないことにより、前記支持爪２１の周縁に多少の傷が発生しても、例えば宝石１のテーブル１０ａ面へ図５のような点々等ｃが反映されることはない。
正面側から見える押え爪２０は一つであるから、宝石１のクラウン１０の露出面積は相対的に大きくなり、宝石の輝きが阻害される度合は小さい。
【００１６】
第２実施形態
図３は本発明に係る取付構造の第２実施形態を示す側断面図で、この実施形態では、押え爪２０及び支持爪２１を比較的薄肉にかつ対称的形状に形成し、これらをかしめ易くしたものである。
押え爪２０と支持爪２１をこのように形成すると、これらを前記のようにかしめる際にたがねと槌のような通常のかしめ工具でなく、例えばやっとこその他の挟み工具を用いてかしめることができる。
第２実施形態の他の構成や作用・効果は、第１実施形態のものとほぼ同様であるのでそれらの説明は省略する。
【００１７】
第３実施形態
図４（ａ）図は本発明に係る取付構造の第３実施形態を示す底面図、同（ｂ）図はその側面図である。
この実施形態では、台座部２において、宝石１のパビリオン１１のキューレット部１１ａを中心とする両側部へ膨出した（逆円錐形状）補強部２３，２３を形成したもので、これらの補強部２３，２３により宝石１は一層確実・強固に台座部２へ保持されるほか、台座部２が体裁よく補強される。
第３実施形態の他の構成や作用・効果は、第１実施形態のものとほぼ同様であるのでそれらの説明は省略する。
【図面の簡単な説明】
【００１８】
【図１】本発明に係るファセットカット宝石の取付構造の第１実施形態を示す正面図である。
【図２】図１の取付構造の側面図である。
【図３】本発明に係るファセットカット宝石の取付構造の第２実施形態を示す側断面図である。
【図４】本発明に係るファセットカット宝石の取付構造の第３実施形態を示す図で、（ａ）図は底面図、（ｂ）図は側面図である。
【図５】特許文献３に記載されているファセットカット宝石の取付構造の正面図である。
【図６】図５の取付構造の側面図である。
【符号の説明】
【００１９】
１  宝石
１０  クラウン
１０ａ  テーブル
１０ｂ  ファセット部
１１  パビリオン
１１ａ  キューレット部
１２  ガードル部
２  台座部
２０  押え爪
２ａ  孔
２１  支持爪
２２  連結孔
２３  補強部
【図１】
2008055061.tif 000003
【図２】
2008055061.tif 000004
【図３】
2008055061.tif 000005
【図４】
2008055061.tif 000006
【図５】
2008055061.tif 000007
【図６】
2008055061.tif 000008